【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
高ダイナミックレンジピクチャから取得される標準ダイナミックレンジピクチャをコード化するストリームを復号する方法であって、
復号された標準ダイナミックレンジピクチャと、前記コード化された標準ダイナミックレンジピクチャと前記ストリーム中で関連する色メタデータとを取得するために、前記ストリームを復号することであって、前記色メタデータは、前記高ダイナミックレンジピクチャのマスタリングに使用されたマスタリングディスプレイの少なくとも最大表示輝度を含む、復号すること、
前記復号された標準ダイナミックレンジピクチャ及び前記色メタデータから、高ダイナミックレンジ輝度信号を取得するために、前記マスタリングディスプレイの前記最大表示輝度に応答して前記復号された標準ダイナミックレンジピクチャのルマ信号を逆マッピングすることによって、前記高ダイナミックレンジピクチャを再構成すること
を含む方法。
【請求項２】
前記色メタデータは、前記マスタリングディスプレイの原色及び白色点を更に含む、請求項１に記載の方法。
【請求項３】
前記高ダイナミックレンジピクチャを再構成することは、前記マスタリングディスプレイの前記最大表示輝度と前記マスタリングディスプレイの原色及び白色点との少なくとも一方に応答した前記復号された標準ダイナミックレンジピクチャの逆カラーマッピングをさらに含む、請求項１又は２に記載の方法。
【請求項４】
前記色メタデータは、前記標準ダイナミックレンジピクチャに関連するマスタリングディスプレイカラーボリュームＳＥＩメッセージ中にカプセル化される、請求項１〜３の何れか一項に記載の方法。
【請求項５】
前記マスタリングディスプレイの前記特性は、前記マスタリングディスプレイのカラーボリュームを識別する、請求項１〜４の何れか一項に記載の方法。
【請求項６】
高ダイナミックレンジピクチャをコード化するためのコード化方法であって、
前記高ダイナミックレンジピクチャのマスタリングに使用されたマスタリングディスプレイの少なくとも最大表示輝度を含む色メタデータを取得すること、
前記最大表示輝度に応答して、前記高ダイナミックレンジピクチャの輝度信号を前記標準ダイナミックレンジピクチャのルマ信号にマッピングすることにより、標準ダイナミックレンジピクチャを高ダイナミックレンジピクチャから特定すること、
ストリーム中で前記標準ダイナミックレンジピクチャと前記色メタデータとを符号化すること、
を含むコード化方法。
【請求項７】
前記色メタデータは、前記マスタリングディスプレイの原色及び白色点を更に含む、請求項６に記載の方法。
【請求項８】
高ダイナミックレンジピクチャから標準ダイナミックレンジピクチャを特定することは、前記マスタリングディスプレイの前記最大表示輝度と、前記マスタリングディスプレイの原色及び白色点との少なくとも一方に応答した前記高ダイナミックレンジピクチャの色信号の前記標準ダイナミックレンジピクチャのクロマ信号へのカラーマッピングをさらに含む、請求項６又は７に記載の方法。
【請求項９】
前記色メタデータは、前記標準ダイナミックレンジピクチャに関連するマスタリングディスプレイカラーボリュームＳＥＩメッセージ中にカプセル化される、請求項６〜８の何れか一項に記載の方法。
【請求項１０】
前記マスタリングディスプレイの前記特性は、前記マスタリングディスプレイのカラーボリュームを識別する、請求項６〜９の何れか一項に記載の方法。
【請求項１１】
高ダイナミックレンジピクチャから取得される標準ダイナミックレンジピクチャをコード化するストリームを復号する復号デバイスであって、
復号された標準ダイナミックレンジピクチャと、前記コード化された標準ダイナミックレンジピクチャと前記ストリーム中で関連する色メタデータとを取得するために、前記ストリームを復号する手段であって、前記色メタデータは、前記高ダイナミックレンジピクチャのマスタリングに使用されたマスタリングディスプレイの少なくとも最大表示輝度を含む、手段、
前記復号された標準ダイナミックレンジピクチャ及び前記色メタデータから、高ダイナミックレンジ輝度信号を取得するために、前記マスタリングディスプレイの前記最大表示輝度に応答して前記復号された標準ダイナミックレンジピクチャのルマ信号を逆マッピングすることによって、前記高ダイナミックレンジピクチャを再構成する手段
を含む復号デバイス。
【請求項１２】
前記色メタデータは、前記マスタリングディスプレイの原色及び白色点を更に含む、請求項１１に記載のデバイス。
【請求項１３】
前記高ダイナミックレンジピクチャを再構成することは、前記マスタリングディスプレイの前記最大表示輝度と前記マスタリングディスプレイの原色及び白色点との少なくとも一方に応答した前記復号された標準ダイナミックレンジピクチャの逆カラーマッピングをさらに含む、請求項１１又は１２に記載のデバイス。
【請求項１４】
前記色メタデータは、前記標準ダイナミックレンジピクチャに関連するマスタリングディスプレイカラーボリュームＳＥＩメッセージ中にカプセル化される、請求項１１〜１３の何れか一項に記載のデバイス。
【請求項１５】
前記マスタリングディスプレイの前記特性は、前記マスタリングディスプレイのカラーボリュームを識別する、請求項１１〜１４の何れか一項に記載のデバイス。
【請求項１６】
高ダイナミックレンジピクチャをコード化するためのコード化デバイスであって、
前記高ダイナミックレンジピクチャのマスタリングに使用されたマスタリングディスプレイの少なくとも最大表示輝度を含む色メタデータを取得する手段、
前記最大表示輝度に応答して、前記高ダイナミックレンジピクチャの輝度信号を前記標準ダイナミックレンジピクチャのルマ信号にマッピングすることにより、標準ダイナミックレンジピクチャを高ダイナミックレンジピクチャから特定する手段、
ストリーム中で前記標準ダイナミックレンジピクチャと前記色メタデータとを符号化する手段、
を含むコード化デバイス。
【請求項１７】
前記色メタデータは、前記マスタリングディスプレイの原色及び白色点を更に含む、請求項１６に記載のコード化デバイス。
【請求項１８】
高ダイナミックレンジピクチャから標準ダイナミックレンジピクチャを特定することは、前記マスタリングディスプレイの前記最大表示輝度と、前記マスタリングディスプレイの原色及び白色点との少なくとも一方に応答した前記高ダイナミックレンジピクチャの色信号の前記標準ダイナミックレンジピクチャのクロマ信号へのカラーマッピングをさらに含む、請求項１６又は１７に記載のコード化デバイス。
【請求項１９】
前記色メタデータは、前記標準ダイナミックレンジピクチャに関連するマスタリングディスプレイカラーボリュームＳＥＩメッセージ中にカプセル化される、請求項１６〜１８の何れか一項に記載のコード化デバイス。
【請求項２０】
前記マスタリングディスプレイの前記特性は、前記マスタリングディスプレイのカラーボリュームを識別する、請求項１６〜１９の何れか一項に記載のコード化デバイス。
【請求項２１】
高ダイナミックレンジピクチャのマスタリングに使用されたマスタリングディスプレイの最大表示輝度に応答して、前記高ダイナミックレンジピクチャの輝度信号を標準ダイナミックレンジピクチャのルマ信号にマッピングすることにより、前記高ダイナミックレンジピクチャから特定される前記標準ダイナミックレンジピクチャを表すコード化されたデータと、
前記標準ダイナミックレンジピクチャに関連する色メタデータを表すコード化されたデータであって、前記色メタデータは、少なくとも前記最大表示輝度を含む、コード化されたデータと、
を含むストリーム。
【請求項２２】
前記色メタデータは、前記マスタリングディスプレイの原色及び白色点を更に含む、請求項２１に記載のストリーム。
【請求項２３】
高ダイナミックレンジピクチャから標準ダイナミックレンジピクチャを特定することは、前記マスタリングディスプレイの前記最大表示輝度と、前記マスタリングディスプレイの原色及び白色点との少なくとも一方に応答した前記高ダイナミックレンジピクチャの色信号の前記標準ダイナミックレンジピクチャのクロマ信号へのカラーマッピングをさらに含む、請求項２１又は２２に記載のストリーム。
【請求項２４】
前記色メタデータは、前記標準ダイナミックレンジピクチャに関連するマスタリングディスプレイカラーボリュームＳＥＩメッセージ中にカプセル化される、請求項２１〜２３の何れか一項に記載のストリーム。
【請求項２５】
前記マスタリングディスプレイの前記特性は、前記マスタリングディスプレイのカラーボリュームを識別する、請求項２１〜２４の何れか一項に記載のストリーム。
【手続補正２】
【補正対象書類名】明細書
【補正対象項目名】０１８８
【補正方法】変更
【補正の内容】
【０１８８】
多数の実装形態が説明された。しかしながら、様々な改変形態がなされ得ることが理解されるであろう。例えば、異なる実装形態の要素を組み合わせるか、補足するか、改変するか、又は取り除いて他の実装形態を創出し得る。加えて、当業者であればわかるように、開示されているものにとって他の構造及びプロセスが適当であり得、その結果として得られた実装形態は、開示された実装形態と少なくとも実質的に同じ機能を少なくとも実質的に同じ方法で実行し、少なくとも実質的に同じ結果を達成する。したがって、これら及び他の実装形態も本願において想定される。
また、上記実施形態の一部又は全部は、以下の付記のようにも記載され得るが、以下には限定されない。
（付記１）
標準ダイナミックレンジピクチャをコード化するストリームを復号する方法であって、  前記標準ダイナミックレンジピクチャの復号バージョンと、前記ストリーム中における前記コード化された標準ダイナミックレンジピクチャに関連する色メタデータとを取得するために前記ストリームを復号することであって、前記色メタデータは、少なくとも高ダイナミックレンジピクチャのマスタリングに使用されたマスタリングディスプレイの特性のものを表す、復号すること、
前記標準ダイナミックレンジピクチャの前記復号バージョン及び前記色メタデータから前記高ダイナミックレンジピクチャのバージョンを再構成すること
を含む方法。
(付記２)
前記色メタデータは、前記マスタリングディスプレイの最大表示輝度、原色及び白色点の少なくとも１つを含む、付記１に記載の方法。
（付記３）
前記高ダイナミックレンジピクチャのバージョンを再構成することは、高ダイナミックレンジ輝度信号を取得するために少なくとも前記マスタリングディスプレイの最大表示輝度に応答して前記標準ダイナミックレンジピクチャの前記復号バージョンのルマ信号を逆マッピングすることを含む、付記１又は２に記載の方法。
（付記４）
前記高ダイナミックレンジピクチャのバージョンを再構成することは、前記マスタリングディスプレイの前記最大表示輝度と前記マスタリングディスプレイの原色及び白色点との少なくとも一方に応答した前記標準ダイナミックレンジピクチャの前記復号バージョンの逆カラーマッピングをさらに含む、付記３に記載の方法。
（付記５）
前記色メタデータは、前記標準ダイナミックレンジピクチャに関連するマスタリングディスプレイカラーボリュームＳＥＩメッセージ中にカプセル化される、付記１〜４の何れかに記載の方法。
（付記６）
前記マスタリングディスプレイの前記特性は、前記マスタリングディスプレイのカラーボリュームを識別する、付記１〜５の何れかに記載の方法。
（付記７）
コード化方法であって、
標準ダイナミックレンジピクチャを高ダイナミックレンジピクチャから特定すること、
前記高ダイナミックレンジピクチャのマスタリングに使用されたマスタリングディスプレイの特性を表す色メタデータを取得すること、
ストリーム中で前記標準ダイナミックレンジピクチャと前記色メタデータとを符号化すること
を含むコード化方法。
（付記８）
前記色メタデータは、少なくとも前記マスタリングディスプレイの最大表示輝度、原色及び白色点のものを含む、付記７に記載の方法。
（付記９）
高ダイナミックレンジピクチャから標準ダイナミックレンジピクチャを特定することは、少なくとも前記最大表示輝度に応答して前記高ダイナミックレンジピクチャの輝度信号を前記標準ダイナミックレンジピクチャのルマ信号にマッピングすることを含む、付記７又は８に記載の方法。
（付記１０）
高ダイナミックレンジピクチャから標準ダイナミックレンジピクチャを特定することは、前記マスタリングディスプレイの前記最大表示輝度と、前記マスタリングディスプレイの原色及び白色点との少なくとも一方に応答した前記高ダイナミックレンジピクチャの色信号の前記標準ダイナミックレンジピクチャのクロマ信号へのカラーマッピングをさらに含む、付記９に記載の方法。
（付記１１）
前記色メタデータは、前記標準ダイナミックレンジピクチャに関連するマスタリングディスプレイカラーボリュームＳＥＩメッセージ中にカプセル化される、付記７〜１０の何れかに記載の方法。
（付記１２）
前記マスタリングディスプレイの前記特性は、前記マスタリングディスプレイのカラーボリュームを識別する、付記７〜１１の何れかに記載の方法。
（付記１３）
標準ダイナミックレンジピクチャを表すコード化されたデータと、前記標準ダイナミックレンジピクチャに関連する色メタデータを表すコード化されたデータとを含むストリームであって、前記色メタデータは、少なくとも高ダイナミックレンジピクチャのマスタリングに使用されたマスタリングディスプレイの特性のものを表す、ストリーム。
（付記１４）
標準ダイナミックレンジピクチャをコード化するストリームを復号する復号デバイスであって、
前記標準ダイナミックレンジピクチャの復号バージョンと、前記ストリーム中における前記コード化された標準ダイナミックレンジピクチャに関連する色メタデータとを取得するために前記ストリームを復号する手段であって、前記色メタデータは、少なくとも高ダイナミックレンジピクチャのマスタリングに使用されたマスタリングディスプレイの特性のものを表す、手段、
前記標準ダイナミックレンジピクチャの前記復号バージョン及び前記色メタデータから前記高ダイナミックレンジピクチャのバージョンを再構成する手段
を含む復号デバイス。
（付記１５）
コード化デバイスであって、
標準ダイナミックレンジピクチャを高ダイナミックレンジピクチャから特定する手段、
前記高ダイナミックレンジピクチャのマスタリングに使用されたマスタリングディスプレイの特性を表す色メタデータを取得する手段、
ストリーム中で前記標準ダイナミックレンジピクチャと前記色メタデータとを符号化する手段
を含むコード化デバイス。